(57)【要約】【課題】メインのコンテンツとサブのコンテンツとを好適に連動させながら再生する。【解決手段】情報再生装置は、第１コンテンツデータを再生する第１再生手段（１３）と、第１コンテンツデータに並行して、第１コンテンツデータと連動して再生されるデータセット（１００）中に含まれる第２コンテンツデータを再生する第２再生手段（１３）と、第１コンテンツデータの再生を制御し且つデータセット（１００）中に含まれる再生制御情報（１２０）に基づいて、第１コンテンツデータを再生するように第１再生手段を制御する第１制御手段（１４）とを備える。【選択図】図３
2007133962.tif 000002
【特許請求の範囲】
【請求項１】
第１コンテンツデータを再生する第１再生手段と、
前記第１コンテンツデータに並行して、前記第１コンテンツデータと連動して再生されるデータセット中に含まれる第２コンテンツデータを再生する第２再生手段と、
前記第１コンテンツデータの再生を制御し且つ前記データセット中に含まれる再生制御情報に基づいて、前記第１コンテンツデータを再生するように前記第１再生手段を制御する第１制御手段と
を備えることを特徴とする情報再生装置。
【請求項２】
前記再生制御情報は、前記第１コンテンツデータの再生を制御するための第１再生コマンドを示すコマンド制御情報と、前記第１コンテンツデータの再生を制御するタイミングを規定する第１タイミング制御情報とを含んでおり、
前記第１制御手段は、前記第１タイミング制御情報が規定する前記タイミングで、前記第１コマンド制御情報が示す前記再生コマンドを用いて前記第１コンテンツデータを再生するように前記第１再生手段を制御することを特徴とする請求項１に記載の情報再生装置。
【請求項３】
前記再生制御情報は、前記第１コンテンツデータの再生を制御するための再生コマンドを示す第１コマンド制御情報と、前記第１コンテンツデータの再生を制御するタイミングを前記再生コマンドと対応付けて規定する第１タイミング制御情報とを含んでおり、
前記第１制御手段は、前記第１タイミング制御情報が規定する前記タイミングで、前記第１コマンド制御情報が示す前記再生コマンドを用いて前記第１コンテンツデータを再生するように前記第１再生手段を制御することを特徴とする請求項１に記載の情報再生装置。
【請求項４】
前記再生制御情報は、前記第１コンテンツデータに加えて、前記第２コンテンツデータの再生を制御し、
前記再生制御情報に基づいて、前記第２コンテンツデータを再生するように前記第２再生手段を制御する第２制御手段を更に備えることを特徴とする請求項１から３のいずれか一項に記載の情報再生装置。
【請求項５】
前記再生制御情報は、前記第２コンテンツデータの再生を制御するための再生コマンドを示す第２コマンド制御情報と、前記第２コンテンツデータの再生を制御するタイミングを規定する第２タイミング制御情報とを含んでおり、
前記第２制御手段は、前記第２タイミング制御情報が規定する前記タイミングで、前記第２コマンド制御情報が示す前記再生コマンドを用いて前記第２コンテンツデータを再生するように前記第２再生手段を制御することを特徴とする請求項４に記載の情報再生装置。
【請求項６】
前記再生制御情報は、前記第２コンテンツデータの再生を制御するための再生コマンドを示す第２コマンド制御情報と、前記第２コンテンツデータの再生を制御するタイミングを前記再生コマンドに対応付けて規定する第２タイミング制御情報とを含んでおり、
前記第２制御手段は、前記第２タイミング制御情報が規定する前記タイミングで、前記第２コマンド制御情報が示す前記再生コマンドを用いて前記第２コンテンツデータを再生するように前記第２再生手段を制御することを特徴とする請求項４に記載の情報再生装置。
【請求項７】
前記データセットを取得する取得手段を更に備えることを特徴とする請求項１から６のいずれか一項に記載の情報再生装置。
【請求項８】
前記取得手段は、ネットワークを介して配信される前記データセットを取得することを特徴とする請求項７に記載の情報再生装置。
【請求項９】
前記取得手段は、情報記録媒体に記録されて配布される前記データセットを取得することを特徴とする請求項７又は８に記載の情報再生装置。
【請求項１０】
第１コンテンツデータを再生する第１再生工程と、
前記第１コンテンツデータに並行して、前記第１コンテンツデータと連動して再生されるデータセット中に含まれる第２コンテンツデータを再生する第２再生工程と、
前記第１コンテンツデータの再生を制御し且つ前記データセット中に含まれる再生制御情報に基づいて、前記第１コンテンツデータを再生するように前記第１再生工程を制御する第１制御工程と
を備えることを特徴とする情報再生方法。
【請求項１１】
第１コンテンツデータを再生するための第１再生手段を備える情報再生装置に備えられたコンピュータを制御する再生制御用のコンピュータプログラムであって、
前記コンピュータを、(i)前記第１コンテンツデータに並行して、前記第１コンテンツデータと連動して再生されるデータセット中に含まれる第２コンテンツデータを再生する第２再生手段及び(ii)前記第１コンテンツデータの再生を制御し且つ前記データセット中に含まれる再生制御情報に基づいて、前記第１コンテンツデータを再生するように前記第１再生手段を制御する第１制御手段として機能させることを特徴とするコンピュータプログラム。
【請求項１２】
前記コンピュータプログラムは、前記データセットを含んでいることを特徴とする請求項１１に記載のコンピュータプログラム。
【請求項１３】
第１コンテンツデータと並行して再生される第２コンテンツデータと、第１コンテンツデータの再生を制御する再生制御情報とを含むデータセットが記録されることを特徴とする情報記録媒体。
【発明の詳細な説明】
【技術分野】
【０００１】
本発明は、例えばＤＶＤ等の情報記録媒体、例えばＤＶＤプレーヤ等の情報再生装置及び方法、並びにコンピュータをこのような情報再生装置として機能させるコンピュータプログラムの技術分野に属する。
【背景技術】
【０００２】
映画等の字幕を抽出して、リスト化するｃａｐｔｉｏｎ  ＤＶＤ（http://www.captiondvd.com）という製品が開発されている。具体的には、ｃａｐｔｉｏｎ  ＤＶＤでは、映画の主映像と共に表示される副映像情報としての字幕の夫々を、テキストとしてリストアップすることができる。そして、リストアップされたテキストのうち所望の字幕に対応するテキストを選択することで、該所望の字幕が表示される主映像のシーンを再生することができる。このため、ユーザは、所望の字幕を見ながら、それに対応するセリフを繰り返し聞くことができる。このため、ｃａｐｔｉｏｎ  ＤＶＤは、英語学習の一つの方法として利用されている。
【０００３】
他方、英語学習に限らず、例えば学校等において、講義映像と講義に用いられる教材映像との夫々を合わせて表示する際に、講義映像及び教材映像の夫々を特定すると共に、講義映像の表示に対してタイムスタンプで教材映像の表示を関連付けたメタデータを用いる技術が、特許文献１に記載されている。
【０００４】
【特許文献１】特開２００５−５０１０１号公報
【発明の開示】
【発明が解決しようとする課題】
【０００５】
しかしながら、ｃａｐｔｉｏｎ  ＤＶＤでは、翻訳者によって作成された字幕を元にしたコンテンツの再生に限られるなど、その再生の態様にある種の限定が係ることになり得る。
【０００６】
また、メタデータを用いる技術においても、講義映像の表示に対してタイムスタンプで教材映像の表示を関連付けていることから、講義映像に対する教材映像の選択の幅や再生の態様が限定されるという技術的な問題点を有している。
【０００７】
本発明は、例えば上述した従来の問題点に鑑みなされたものであり、例えばメインのコンテンツとサブのコンテンツとを好適に連動させながら再生することを可能とならしめる情報再生装置及び方法、情報記録媒体、並びにコンピュータをこのような情報再生装置として機能させるコンピュータプログラムを提供することを課題とする。
【課題を解決するための手段】
【０００８】
上記課題を解決するために、請求項１に記載の情報再生装置は、第１コンテンツデータを再生する第１再生手段と、前記第１コンテンツデータに並行して、前記第１コンテンツデータと連動して再生されるデータセット中に含まれる第２コンテンツデータを再生する第２再生手段と、前記第１コンテンツデータの再生を制御し且つ前記データセット中に含まれる再生制御情報に基づいて、前記第１コンテンツデータを再生するように前記第１再生手段を制御する第１制御手段とを備える。
【０００９】
上記課題を解決するために、請求項１０に記載の情報再生方法は、第１コンテンツデータを再生する第１再生工程と、前記第１コンテンツデータに並行して、前記第１コンテンツデータと連動して再生されるデータセット中に含まれる第２コンテンツデータを再生する第２再生工程と、前記第１コンテンツデータの再生を制御し且つ前記データセット中に含まれる再生制御情報に基づいて、前記第１コンテンツデータを再生するように前記第１再生工程を制御する第１制御工程とを備える。
【００１０】
上記課題を解決するために、請求項１１に記載のコンピュータプログラムは、第１コンテンツデータを再生するための第１再生手段を備える情報再生装置に備えられたコンピュータを制御する再生制御用のコンピュータプログラムであって、前記コンピュータを、(i)前記第１コンテンツデータに並行して、前記第１コンテンツデータと連動して再生されるデータセット中に含まれる第２コンテンツデータを再生する第２再生手段及び(ii)前記第１コンテンツデータの再生を制御し且つ前記データセット中に含まれる再生制御情報に基づいて、前記第１コンテンツデータを再生するように前記第１再生手段を制御する第１制御手段として機能させる。
【００１１】
上記課題を解決するために、請求項１３に記載の情報記録媒体は、第１コンテンツデータと並行して再生される第２コンテンツデータと、第１コンテンツデータの再生を制御する再生制御情報とを含むデータセットが記録される。
【００１２】
本発明の作用及び他の利得は次に説明する実施の形態から明らかにされよう。
【発明を実施するための最良の形態】
【００１３】
以下、発明を実施するための最良の形態としての本発明の情報再生装置及び方法、コンピュータプログラム、並びに情報記録媒体の夫々に係る実施形態について順に説明する。
【００１４】
（情報再生装置の実施形態）
本発明の情報再生装置に係る実施形態は、第１コンテンツデータを再生する第１再生手段と、前記第１コンテンツデータに並行して、前記第１コンテンツデータと連動して再生されるデータセット中に含まれる第２コンテンツデータを再生する第２再生手段と、前記第１コンテンツデータの再生を制御し且つ前記データセット中に含まれる再生制御情報に基づいて、前記第１コンテンツデータを再生するように前記第１再生手段を制御する第１制御手段とを備える。
【００１５】
本発明の情報再生装置に係る実施形態によれば、第１再生手段の動作により、第１コンテンツデータ（例えば、メインのコンテンツデータ）を再生することができる。また、第２再生手段の動作により、第１のコンテンツデータに並行して第２コンテンツデータ（例えば、第１コンテンツデータに付随するサブのコンテンツデータ）を再生することができる。このとき、第２コンテンツデータは、再生制御情報と共にデータセットを構成している。
【００１６】
本実施形態では特に、第１制御手段の動作により、データセット中に含まれる再生制御情報に基づいて第１コンテンツデータの再生が行われるように、第１再生手段が制御される。より具体的には、再生制御情報に基づいて、第１コンテンツデータの再生の開始や、再生の継続や、再生の停止や、サーチや、音声選択や、字幕選択や、アングル選択等が行われるように第１再生手段が制御される。そして、第２コンテンツデータは第１コンテンツデータに並行して再生されていることから、第１コンテンツデータの再生を適宜制御しつつ、第１コンテンツデータに対応した第２コンテンツデータ（例えば、第１コンテンツデータの内容の説明等）を再生することができる。
【００１７】
そして、再生制御情報を用いて第１コンテンツデータの再生を好適に制御することができるため、第１コンテンツデータの再生に対してタイムスタンプで第２コンテンツデータの再生を制御する態様と比較して、第２コンテンツデータを組み合わせた第１コンテンツデータの再生の態様を広げることができる。加えて、第２コンテンツデータの選択の幅を広げることができる。
【００１８】
更に、第２コンテンツデータを新しいものに置き換えれば、多種多様な第２コンテンツデータを組み合わせた第１コンテンツデータの再生を比較的容易に実現することができる。また、再生制御情報を新しいものに置き換えれば、第２コンテンツデータを組み合わせた第１コンテンツデータの再生の態様を比較的容易に変更することができる。つまり、同じ第１コンテンツデータを再生する場合であっても、並行して再生される第２コンテンツデータや再生制御情報に応じて、その再生の態様を多種多様に変えることができる。
【００１９】
以上説明したように、本実施形態に係る情報再生装置によれば、第１コンテンツデータと第２コンテンツデータとを好適に連動させながら再生することができる。
【００２０】
本発明の情報再生装置に係る実施形態の一の態様は、前記再生制御情報は、前記第１コンテンツデータの再生を制御するタイミングを規定する第１タイミング制御情報と、前記第１コンテンツデータの再生を制御するための第１再生コマンドを示すコマンド制御情報とを含んでおり、前記第１制御手段は、前記第１タイミング制御情報が規定する前記タイミングで、前記第１コマンド制御情報が示す前記再生コマンドを用いて前記第１コンテンツデータを再生するように前記第１再生手段を制御する。
【００２１】
この態様によれば、第１タイミング制御情報が規定するタイミングで、第１コマンド制御情報が示す再生コマンドが実行されるように第１コンテンツデータが再生される。その結果、第１コンテンツデータと第２コンテンツデータとを好適に連動させながら再生することができる。
【００２２】
本発明の情報再生装置に係る実施形態の他の態様は、前記再生制御情報は、前記第１コンテンツデータの再生を制御するための再生コマンドを示す第１コマンド制御情報と、前記第１コンテンツデータの再生を制御するタイミングを前記再生コマンドに対応付けて規定する第１タイミング制御情報とを含んでおり、前記第１制御手段は、前記第１タイミング制御情報が規定する前記タイミングで、前記第１コマンド制御情報が示す前記再生コマンドを用いて前記第１コンテンツデータを再生するように前記第１再生手段を制御する。
【００２３】
この態様によれば、第１タイミング制御情報が規定するタイミングで、第１コマンド制御情報が示す再生コマンドが実行されるように第１コンテンツデータが再生される。その結果、第１コンテンツデータと第２コンテンツデータとを好適に連動させながら再生することができる。
【００２４】
本発明の情報再生装置に係る実施形態の他の態様は、前記再生制御情報は、前記第１コンテンツデータに加えて、前記第２コンテンツデータの再生を制御し、前記再生制御情報に基づいて、前記第２コンテンツデータを再生するように前記第２再生手段を制御する第２制御手段を更に備える。
【００２５】
この態様によれば、第２コンテンツデータに関しても、第１コンテンツデータと同様に、再生制御情報によって再生を制御することができる。従って、多種多様な態様で再生される第２コンテンツデータを組み合わせながら第１コンテンツデータを再生することができる。つまり、第１コンテンツデータと第２コンテンツデータとを好適に連動させながら再生することができる。
【００２６】
上述の如く第２制御手段を備える情報再生装置の態様では、前記再生制御情報は、前記第２コンテンツデータの再生を制御するための再生コマンドを示す第２コマンド制御情報と、前記第２コンテンツデータの再生を制御するタイミングを規定する第２タイミング制御情報とを含んでおり、前記第２制御手段は、前記第２タイミング制御情報が規定する前記タイミングで、前記第２コマンド制御情報が示す前記再生コマンドを用いて前記第２コンテンツデータを再生するように前記第２再生手段を制御するように構成してもよい。
【００２７】
このように構成すれば、第２タイミング制御情報が規定するタイミングで、第２コマンド制御情報が示す再生コマンドが実行されるように第２コンテンツデータが再生される。その結果、多種多様な態様で再生される第２コンテンツデータを組み合わせながら第１コンテンツデータを再生することができる。つまり、第１コンテンツデータと第２コンテンツデータとを好適に連動させながら再生することができる。
【００２８】
上述の如く第２制御手段を備える情報再生装置の態様では、前記再生制御情報は、前記第２コンテンツデータの再生を制御するための再生コマンドを示す第２コマンド制御情報と、前記第２コンテンツデータの再生を制御するタイミングを前記再生コマンドに対応付けて規定する第２タイミング制御情報とを含んでおり、前記第２制御手段は、前記第２タイミング制御情報が規定する前記タイミングで、前記第２コマンド制御情報が示す前記再生コマンドを用いて前記第２コンテンツデータを再生するように前記第２再生手段を制御するように構成してもよい。
【００２９】
このように構成すれば、第２タイミング制御情報が規定するタイミングで、第２コマンド制御情報が示す再生コマンドが実行されるように第２コンテンツデータが再生される。その結果、多種多様な態様で再生される第２コンテンツデータを組み合わせながら第１コンテンツデータを再生することができる。つまり、第１コンテンツデータと第２コンテンツデータとを好適に連動させながら再生することができる。
【００３０】
本発明の情報再生装置に係る実施形態の他の態様は、前記データセットを取得する取得手段を更に備える。
【００３１】
この態様によれば、データセットを好適に取得することができ、その結果、上述した各種利益を享受することができる。
【００３２】
上述の如く取得手段を備える情報再生装置の態様では、前記取得手段は、ネットワークを介して配信される前記データセットを取得するように構成してもよい。
【００３３】
このように構成すれば、データセットを好適に取得することができ、その結果、上述した各種利益を享受することができる。
【００３４】
上述の如く取得手段を備える情報再生装置の態様では、前記取得手段は、情報記録媒体に記録されて配布される前記データセットを取得するように構成してもよい。
【００３５】
このように構成すれば、データセットを好適に取得することができ、その結果、上述した各種利益を享受することができる。
【００３６】
（情報再生方法の実施形態）
本発明の情報記録方法に係る実施形態は、第１コンテンツデータを再生する第１再生工程と、前記第１コンテンツデータに並行して、前記第１コンテンツデータと連動して再生されるデータセット中に含まれる第２コンテンツデータを再生する第２再生工程と、前記第１コンテンツデータの再生を制御し且つ前記データセット中に含まれる再生制御情報に基づいて、前記第１コンテンツデータを再生するように前記第１再生工程を制御する第１制御工程とを備える。
【００３７】
本発明の情報再生方法に係る実施形態によれば、上述した本発明の情報再生装置に係る実施形態と同様の各種利益を享受することができる。
【００３８】
尚、上述した本発明の情報再生装置に係る実施形態における各種態様に対応して、本発明の情報再生方法に係る実施形態も各種態様を採ることが可能である。
【００３９】
（コンピュータプログラムに係る実施形態）
本発明のコンピュータプログラムに係る実施形態は、第１コンテンツデータを再生するための第１再生手段を備える情報再生装置に備えられたコンピュータを制御する再生制御用のコンピュータプログラムであって、前記コンピュータを、(i)前記第１コンテンツデータに並行して、前記第１コンテンツデータと連動して再生されるデータセット中に含まれる第２コンテンツデータを再生する第２再生手段、及び(ii)前記第１コンテンツデータの再生を制御し且つ前記データセット中に含まれる再生制御情報に基づいて、前記第１コンテンツデータを再生するように前記第１再生手段を制御する第１制御手段として機能させる。言い換えれば、本発明のコンピュータプログラムに係る実施形態は、上述した本発明の情報再生装置に係る実施形態（但し、その各種態様を含む）に備えられたコンピュータを制御する再生制御用のコンピュータプログラムであって、該コンピュータを、前記第２再生手段及び前記第１制御手段のうち少なくとも一部として機能させる。
【００４０】
本発明に係るコンピュータプログラムの実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報再生装置に係る実施形態を比較的簡単に実現できる。
【００４１】
尚、上述した本発明の情報再生装置に係る実施形態における各種態様に対応して、本発明のコンピュータプログラムに係る実施形態も各種態様を採ることが可能である。
【００４２】
本発明のコンピュータプログラムに係る実施形態の一の態様は、前記コンピュータプログラムは、前記データセットを含んでいる。
【００４３】
この態様によれば、上述した本発明の情報再生装置に係る実施形態を比較的簡単に実現できる。
【００４４】
（情報記録媒体の実施形態）
本発明の情報記録媒体に係る実施形態は、第１コンテンツデータと並行して再生される第２コンテンツデータと、第１コンテンツデータの再生を制御する再生制御情報とを含むデータセットが記録される。
【００４５】
本発明の情報記録媒体に係る実施形態によれば、当該情報記録媒体を情報再生装置に読み込ませることで、上述した本発明の情報再生装置に係る実施形態を比較的簡単に実現できる。
【００４６】
尚、上述した本発明の情報再生装置に係る実施形態における各種態様に対応して、本発明の情報記録媒体に係る実施形態も各種態様を採ることが可能である。
【００４７】
本実施形態のこのような作用及び他の利得は次に説明する実施例から更に明らかにされる。
【００４８】
以上説明したように、本発明の情報再生装置に係る実施形態によれば、第１再生手段、第２再生手段及び第１制御手段を備える。本発明の情報再生方法に係る実施形態によれば、第１再生工程、第２再生工程及び第１制御工程を備える。本発明のコンピュータプログラムに係る実施形態によれば、コンピュータを第２再生手段及び第１制御手段として機能させる。また、本発明の情報記録媒体に係る実施形態によれば、データセットが記録される。従って、
【実施例】
【００４９】
以下、本発明の実施例を図面に基づいて説明する。
【００５０】
初めに、図１を参照して、本発明の情報再生装置に係る実施例の基本構成について説明する。ここに、図１は、本実施例に係る情報再生装置の基本構成を概念的に示すブロック図である。
【００５１】
図１に示すように、本実施例に係る情報再生装置１は、スピンドルモータ１１と、読取回路１２と、再生回路１３と、ＣＰＵ１４と、メモリ１５と、通信回路１６とを備えている。
【００５２】
スピンドルモータ１１は、光ディスク５０を回転及び停止させるもので、光ディスク５０へのアクセス時に動作する。より詳細には、スピンドルモータ１１は、図示しないスピンドルサーボ回路から出力されるスピンドルサーボを受けつつ所定速度で光ディスク５０を回転及び停止させるように構成されている。
【００５３】
読取回路１２は、レーザ光ＬＢを出力する半導体レーザ素子や該レーザ光ＬＢの反射光を受光するＰＤ（Photo Detector）等を備える光ピックアップや、ＰＤより出力される読取信号を増幅して再生回路１３へ出力するＲＦ（Radio Frequency）アンプ等を備えている。
【００５４】
再生回路１３は、本発明における「第１再生手段」及び「第２再生手段」の一具体例を構成しており、読取回路１２より出力される読取信号に対して、復調処理や、誤り訂正処理や、デコード処理等の各種信号処理を施すことにより、再生信号を生成可能に構成されている。生成された再生信号は、ディスプレイ２や図示しないスピーカーに出力され、映像や音声として出力される。
【００５５】
ＣＰＵ１４は、スピンドルモータ１１や、読取回路１２や、再生回路１３や、メモリ１５や、通信回路１６等と、データバス１７を介して接続され、これらに指示を行うことで、情報再生装置１全体の制御を行う。通常、ＣＰＵ１４が動作するためのソフトウェア又はファームウェアは、メモリ１５に格納されている。
【００５６】
また、ＣＰＵ１４は、本発明における「第１制御手段」及び「第２制御手段」の一具体例を構成しており、ネットワーク３を介してサーバ４から出力されるデータセット１００（図２参照）に基づいて、光ディスク５０に記録されたコンテンツデータ（以降、適宜“第１コンテンツデータ”と称する）を再生する際の或いはネットワーク３を介してサーバ４から出力されるコンテンツデータ（以降、適宜“第２コンテンツデータ”と称する）を再生する際の再生回路１３の動作を制御する。この具体的な動作については、後に詳述する（図３等参照）。
【００５７】
尚、サーバ４は、光ディスク５０に記録されたコンテンツデータを再生する際に用いられるデータセット１００を、コンテンツデータの種類に応じて複数或いはコンテンツデータを再生する際の態様に応じて複数格納している。サーバ３は、情報再生装置１からの要求に応じて又はサーバ３自身の要求に応じて、有線ないしは無線のネットワーク３を介して、所望のデータセット１００を情報再生装置１へ配信する。
【００５８】
メモリ１５は、情報再生装置１におけるデータ処理全般において使用される。より具体的には、メモリ１５は、情報再生装置１が動作するために必要な各種プログラム（即ち、ファームウェア）が格納されるＲＯＭ領域と、データの一時格納用バッファや、ファームウェアプログラム等の動作に必要な変数が格納されるＲＡＭ領域などから構成される。
【００５９】
通信回路１６は、本発明における「取得手段」の一具体例を構成しており、有線ないしは無線等のネットワーク３を介して、サーバ４より配信される、光ディスク５０に記録された第１コンテンツデータを再生する際に用いられるデータセット１００を受信可能に構成されている。
【００６０】
ここで、図２を参照して、サーバ４より配信されるデータセット１００について具体的に説明する。ここに、図２は、データセット１００のデータ構造を概念的に示すデータ構造図である。
【００６１】
図２に示すように、データセット１００は、第２コンテンツデータと、再生制御情報１２０と、その他の情報１３０とを含んでいる。
【００６２】
第２コンテンツデータは、例えば第１コンテンツデータが再生されている際に、第１コンテンツデータと並行して再生されたり、或いは第１コンテンツデータと置き換えて再生されるコンテンツデータである。
【００６３】
再生制御情報１２０は、第１コンテンツデータと第２コンテンツデータとの夫々の再生を制御するための情報であって、コマンド制御情報（第１コンテンツデータ）１２１と、タイミング制御情報（第１コンテンツデータ）１２２と、コマンド制御情報（第２コンテンツデータ）１２３と、タイミング制御情報（第２コンテンツデータ）１２４とを備えている。
【００６４】
コマンド制御情報（第１コンテンツデータ）１２１は、第１コンテンツデータの再生方法を実際に制御する（より具体的には、変更する）制御コマンドを示す制御情報である。具体的には、第１コンテンツデータの再生を開始したり、再生を停止したり、第１コンテンツデータ中の所望の再生位置をサーチしたり、第１コンテンツデータの音量を調整したり、第１コンテンツデータを再生する際の音声種別を選択したり、第１コンテンツデータを再生する際の字幕種別を選択可能な制御コマンドを示す制御情報である。
【００６５】
タイミング制御情報（第１コンテンツデータ）１２２は、コマンド制御情報（第１コンテンツデータ）１２１を用いて第１コンテンツデータの再生方法を制御するタイミングを記述する制御情報である。具体的には、例えば、第１コンテンツデータの再生を停止するタイミングを記述したり、第１コンテンツデータの音量を調整するタイミングを記述したりしている。
【００６６】
コマンド制御情報（第２コンテンツデータ）１２３は、第２コンテンツデータの再生方法を実際に制御する制御情報である。具体的には、第２コンテンツデータの再生を開始したり、再生を停止したり、第２コンテンツデータ中の所望の再生位置をサーチしたり、第２コンテンツデータの音量を調整したり、第２コンテンツデータを再生する際の音声種別を選択したり、第２コンテンツデータを再生する際の字幕種別を選択可能な制御情報である。
【００６７】
尚、第２コンテンツデータの再生方法の種類が、第１コンテンツデータの再生方法の種類と同一であれば、コマンド制御情報（第２コンテンツデータ）１２３を敢えて設けることなく、コマンド制御情報（第１コンテンツデータ）１２１を用いて第２コンテンツデータの再生方法を制御するように構成してもよい。
【００６８】
タイミング制御情報（第２コンテンツデータ）１２４は、コマンド制御情報（第２コンテンツデータ）１２３を用いて第２コンテンツデータの再生方法を制御するタイミングを記述する制御情報である。具体的には、例えば、第２コンテンツデータの再生を停止するタイミングを記述したり、第２コンテンツデータの音量を調整するタイミングを記述したりしている。
【００６９】
その他の情報１３０は、例えば、データセット１００を取得した情報再生装置１をして、データセット１００に含まれる再生制御情報１２０を用いて第１コンテンツデータや第２コンテンツデータの再生を行わせるために必要な各種情報が含まれている。例えば、再生制御情報１２０を用いて第１コンテンツデータや第２コンテンツデータの再生（特に、連動再生）を行わせるためのアプリケーションプログラム等が含まれている。
【００７０】
続いて、図３から図５を参照して、本実施例に係る情報再生装置１の動作原理について説明する。ここに、図３は、本実施例に係る情報再生装置１による第１コンテンツデータ及び第２コンテンツデータの連動再生の様子を時間軸に沿って概念的に示すタイミングチャートであり、図４は、本実施例に係る情報再生装置１による第１コンテンツデータ及び第２コンテンツデータの連動再生が行われているときの、ディスプレイ２における第１の表示内容を概念的に示す平面図であり、図５は、本実施例に係る情報再生装置１による第１コンテンツデータ及び第２コンテンツデータの連動再生が行われているときの、ディスプレイ２における第２の表示内容を概念的に示す平面図である。
【００７１】
図３に示すように、光ディスク５０が情報再生装置１にローディングされた後、光ディスク５０に記録されている第１コンテンツデータの再生が開始されたとする。このため、図４（ａ）に示すように、ディスプレイ２には、第１コンテンツデータに基づく映像が表示されている。このとき、第２コンテンツデータは再生されていない（ないしは、バックグラウンドで再生されており且つディスプレイ２には表示されていない）ものとする。
【００７２】
ここで、タイミング制御情報（第１コンテンツデータ）１２２中に、時刻ｔ１から時刻ｔ２まで第１コンテンツデータの音量を「消音（ミュート）」する旨の記述があったとする。また、これに対応して、タイミング制御情報（第２コンテンツデータ）１２４中に、時刻ｔ１から時刻ｔ２まで、第２コンテンツデータ中のデータ部分Ａを、第１コンテンツデータにインポーズして再生する旨の記述があったとする。尚、ここでいう「時刻」とは、第１コンテンツデータの再生時刻を基準に定められるものとする。
【００７３】
この場合、ＣＰＵ１４は、このようなタイミング制御情報（第１コンテンツデータ）１２２中の記述に基づいて、時刻ｔ１から時刻ｔ２まで音量を消音して第１コンテンツデータを再生するように、コマンド制御情報（第１コンテンツデータ）１２１中の所望の制御コマンド（例えば、消音コマンド）を再生回路１３へ出力することで、再生回路１３を制御する。その結果、再生回路１３は、時刻ｔ１から時刻ｔ２まで音量を消音して第１コンテンツデータを再生する。つまり、第１コンテンツデータに基づく映像のみがディスプレイに表示され、第１コンテンツデータに基づく音声は再生されない。
【００７４】
更に、ＣＰＵ１４は、このようなタイミング制御情報（第２コンテンツデータ）１２４中の記述に基づいて、時刻ｔ１から時刻ｔ２まで、第２コンテンツデータ中のデータ部分Ａが、第１コンテンツデータにインポーズされて再生されるように、コマンド制御情報（第２コンテンツデータ）１２３中の所望の制御コマンド（例えば、インポーズ再生コマンド）を再生回路１３へ出力することで、再生回路１３を制御する。その結果、再生回路１３は、時刻ｔ１から時刻ｔ２まで、第２コンテンツデータ中のデータ部分Ａを、第１コンテンツデータにインポーズしながら再生する。つまり、図４（ｂ）に示すように、ディスプレイ２には、第１コンテンツデータに基づく映像に重なるように、第２コンテンツデータ中のデータ部分Ａに基づく映像が表示される。また、第２コンテンツデータ中のデータ部分Ａに基づく音声が再生される。
【００７５】
そして、時刻ｔ２を経過すると、第２コンテンツデータ中のデータ部分Ａの再生が終了し、第１コンテンツデータの通常再生が再開する。つまり、第１コンテンツデータの音量の消音が終了し、通常の音量での再生が再開する。また、第２コンテンツデータの再生ないしはディスプレイ２への表示が終了する。
【００７６】
続いて、タイミング制御情報（第１コンテンツデータ）１２２中に、時刻ｔ３のタイミングで期間Ｔ１だけ第１コンテンツデータの再生を「停止」する旨の記述があったとする。また、これに対応して、タイミング制御情報（第２コンテンツデータ）１２４中に、時刻ｔ３のタイミングで期間Ｔ１だけ、第２コンテンツデータ中のデータ部分Ｂを、第１コンテンツデータにインポーズして再生する旨の記述があったとする。
【００７７】
この場合、ＣＰＵ１４は、このようなタイミング制御情報（第１コンテンツデータ）１２２中の記述に基づいて、時刻ｔ３のタイミングで期間Ｔ１だけ第１コンテンツデータの再生を停止するように、コマンド制御情報（第１コンテンツデータ）１２１中の所望の制御コマンド（例えば、再生停止コマンド）を再生回路１３へ出力することで、再生回路１３を制御する。その結果、再生回路１３は、時刻ｔ３のタイミングで期間Ｔ１だけ第１コンテンツデータの再生を停止する。つまり、時刻ｔ３の第１コンテンツデータに基づく映像が静止した状態でディスプレイ２に表示され、第１コンテンツデータに基づく音声は再生されない。
【００７８】
更に、ＣＰＵ１４は、このようなタイミング制御情報（第２コンテンツデータ）１２４中の記述に基づいて、時刻ｔ３のタイミングで期間Ｔ１だけ、第２コンテンツデータ中のデータ部分Ｂが、第１コンテンツデータにインポーズされて再生されるように、コマンド制御情報（第２コンテンツデータ）１２３中の所望の制御コマンド（例えば、インポーズ再生コマンド）を再生回路１３へ出力することで、再生回路１３を制御する。その結果、再生回路１３は、時刻ｔ３のタイミングで期間Ｔ１だけ、第２コンテンツデータ中のデータ部分Ｂを、第１コンテンツデータにインポーズしながら再生する。つまり、図４（ｂ）に示すように、ディスプレイ２には、第１コンテンツデータに基づく映像に重なるように、第２コンテンツデータ中のデータ部分Ｂに基づく映像が表示される。また、第２コンテンツデータ中のデータ部分Ｂに基づく音声が再生される。
【００７９】
そして、期間Ｔ１が経過すると、第２コンテンツデータ中のデータ部分Ｂの再生が終了し、第１コンテンツデータの通常再生が再開する。また、第２コンテンツデータの再生ないしはディスプレイ２への表示が終了する。
【００８０】
続いて、タイミング制御情報（第１コンテンツデータ）１２２中に、時刻ｔ４のタイミングで期間Ｔ２だけ第１コンテンツデータの再生を「停止」する旨の記述があったとする。また、これに対応して、タイミング制御情報（第２コンテンツデータ）１２４中に、時刻ｔ４のタイミングで期間Ｔ２だけ、第２コンテンツデータ中のデータ部分Ｃを、第１コンテンツデータと置き換えて再生する旨の記述があったとする。
【００８１】
この場合、ＣＰＵ１４は、このようなタイミング制御情報（第１コンテンツデータ）１２２中の記述に基づいて、時刻ｔ４のタイミングで期間Ｔ２だけ第１コンテンツデータの再生を停止するように、コマンド制御情報（第１コンテンツデータ）１２１中の所望の制御コマンド（例えば、再生停止コマンド）を再生回路１３へ出力することで、再生回路１３を制御する。その結果、再生回路１３は、時刻ｔ４のタイミングで期間Ｔ２だけ第１コンテンツデータの再生を停止する。
【００８２】
更に、ＣＰＵ１４は、このようなタイミング制御情報（第２コンテンツデータ）１２４中の記述に基づいて、時刻ｔ４のタイミングで期間Ｔ２だけ、第２コンテンツデータ中のデータ部分Ｃが、第１コンテンツデータと置き換えて再生されるように、コマンド制御情報（第２コンテンツデータ）１２３中の所望の制御コマンド（例えば、置換再生コマンド）を再生回路１３へ出力することで、再生回路１３を制御する。その結果、再生回路１３は、時刻ｔ４のタイミングで期間Ｔ２だけ、第２コンテンツデータ中のデータ部分Ｃを、第１コンテンツデータと置き換えながら再生する。つまり、図５に示すように、ディスプレイ２には、第１コンテンツデータに基づく映像が表示されることなく、その全体に第２コンテンツデータ中のデータ部分Ｃに基づく映像が表示される。また、第２コンテンツデータ中のデータ部分Ｃに基づく音声が再生される。
【００８３】
続いて、期間Ｔ２が経過すると、第２コンテンツデータ中のデータ部分Ｃの再生が終了し、第１コンテンツデータの通常再生が再開する。また、第２コンテンツデータの再生ないしはディスプレイ２への表示が終了する。
【００８４】
以降も同様に、データセット１００中に含まれる再生制御情報１００に基づいて、第１コンテンツデータ及び第２コンテンツデータの夫々を様々な態様で再生される。
【００８５】
以上説明したように、本実施例に係る情報再生装置１によれば、サーバ４より配信されるデータセット１００中に含まれる再生制御情報１２０に基づいて、光ディスク５０に記録されている第１コンテンツデータ及びデータセット１００中に含まれる第２コンテンツデータの夫々を、様々な態様で連動して再生することができる。
【００８６】
特に、第１コンテンツデータの再生方法を再生制御情報１２０に基づいて制御できるため、第１コンテンツデータのデータ量や再生時間等を考慮することなく、様々な第２コンテンツデータを組み合わせて、第１コンテンツデータと連動して再生することができる。つまり、第１コンテンツデータを単純に再生し続け、その再生時刻に応じて第２コンテンツデータを再生するだけではなく、第１コンテンツデータの再生方法をも制御することができることから、より多様な方法で第１コンテンツデータと第２コンテンツデータとの連動再生を実現することができる。
【００８７】
加えて、データセット１００中に含まれる再生制御情報１２０を変更すれば、第１コンテンツデータや第２コンテンツデータの再生方法を比較的容易に変更することができる。従って、同一の第１コンテンツデータを再生している場合であっても、様々な態様の再生パターンを比較的容易に実現することができる。
【００８８】
加えて、データセット１００中に含まれる第２コンテンツデータを変更すれば、同一の第１コンテンツデータを再生している場合であっても、様々な態様の再生パターンを比較的容易に実現することができる。
【００８９】
例えば、第１コンテンツデータが、外国語音声の映画であるとする。ここで、外国語音声・字幕の初級レベル解説用の第２コンテンツデータ、外国語音声・字幕の中級レベル解説用の第２コンテンツデータ、及び外国語音声・字幕の上級レベル解説用の第２コンテンツデータを用意すれば。同一の映画に対して、複数パターンの外国語音声・字幕解説をユーザは視聴することができる。
【００９０】
更に、データセット１００を情報再生装置１に配信するために、有線ないしは無線のネットワーク２を用いることができる。このため、データセット１００の配信に要するコストを低減することができる。これにより、データセット１００の第２コンテンツデータや再生制御情報１２０を頻繁に変更したとしても、その配信に係るコストが低いことから、ユーザは自分の所望のデータセット１００を比較的低価格で入手することができるという利点を享受することができる。
【００９１】
尚、データセット１００は、光ディスク５０に記録された第１コンテンツデータを視聴しながら作成者が各種操作（例えば、他の映像のインポーズ操作や、停止して解説を挿入する操作等）を行い、該操作内容を情報として記憶しておくことで、比較的容易に作成することができる。データセット１００を作成するための操作は、例えば第１コンテンツデータと連動したノンリニア編集ソフトを用いてもよい。或いは、情報再生装置１の入出力インターフェースに、専用のヒューマンインターフェースデバイスを接続し、該ヒューマンインターフェースデバイスを用いてもよい。
【００９２】
例えば、スポーツの試合を録画しておき、録画後或いは録画と並行して上記の操作を行えば、試合が終わってすぐに、試合の分析を行うことができる。他にも、プレゼンテーション資料の作成にも役立てることができる。
【００９３】
更に、コピーフリーの素材を用いているのであれば、第１コンテンツデータと第２コンテンツデータとを連動して再生しているときのディスプレイ２の画面を印刷することで、必要な資料としても利用することができる。
【００９４】
更に、データセット１００を作成しつつ、ネットワーク２を用いて随時配信すれば、リアルタイムで、データセット１００を作成するための操作内容（即ち、第１コンテンツデータと第２コンテンツデータとの連動再生）をユーザは視聴することができる。そして、多人数のユーザに同時に配信することもできるため、一人の操作内容（即ち、第１コンテンツデータと第２コンテンツデータとの連動再生）を、多人数のユーザに同時に視聴させることもできる。
【００９５】
尚、上述の実施例では、データセット１００は、コマンド制御情報（第１コンテンツデータ）１２１及びタイミング制御情報（第１コンテンツデータ）１２２と、コマンド制御情報（第２コンテンツデータ）１２３及びタイミング制御情報（第２コンテンツデータ）１２４とを別々に備えている。しかしながら、コマンド制御情報（第１コンテンツデータ）１２１とコマンド制御情報（第２コンテンツデータ）１２３とを組み合わせて、一つのコマンド制御情報とするように構成してもよい。同様に、タイミング制御情報（第１コンテンツデータ）１２２とタイミング制御情報（第２コンテンツデータ）１２４とを組み合わせて、一つのタイミング制御情報とするように構成してもよい。
【００９６】
また、データセット１００を情報再生装置１に配信するためには、上述したネットワーク２を用いた態様に限られないことは言うまでもない。例えば、ＣＤやＤＶＤやハードディスクや半導体メモリ等の情報記録媒体にデータセット１００を記録し、該情報記録媒体を情報再生装置１のユーザに配布ないしは販売するように構成してもよい。
【００９７】
また、上述の実施例では、第１コンテンツデータが記録される情報記録媒体の一例として光ディスク５０及び情報再生装置の一例として光ディスク５０に係るプレーヤについて説明したが、本発明は、光ディスク及びそのプレーヤに限られるものではなく、他の高密度記録或いは高転送レート対応の各種情報記録媒体並びにそのプレーヤにも適用可能であることは言うまでもない。
【００９８】
更に、第１コンテンツデータは光ディスク５０に記録されている必要はなく、例えば第１コンテンツデータがネットワーク３を介して情報再生装置１に配信されるように構成してもよい。この場合、情報再生装置１の構成は図１に示した構成と異なるものとなるが、動作原理としては同様である。
【００９９】
本発明は、上述した実施例に限られるものではなく、請求の範囲及び明細書全体から読み取れる発明の要旨或いは思想に反しない範囲で適宜変更可能であり、そのような変更を伴う情報再生装置及び方法、再生制御用のコンピュータプログラム、並びに情報記録媒体もまた本発明の技術的範囲に含まれるものである。
【図面の簡単な説明】
【０１００】
【図１】本実施例に係る情報再生装置の基本構成を概念的に示すブロック図である。
【図２】データセットのデータ構造を概念的に示すデータ構造図である。
【図３】本実施例に係る情報再生装置による第１コンテンツデータ及び第２コンテンツデータの連動再生の様子を時間軸に沿って概念的に示すタイミングチャートである。
【図４】本実施例に係る情報再生装置による第１コンテンツデータ及び第２コンテンツデータの連動再生が行われているときの、ディスプレイにおける第１の表示内容を概念的に示す平面図である。
【図５】本実施例に係る情報再生装置による第１コンテンツデータ及び第２コンテンツデータの連動再生が行われているときの、ディスプレイにおける第２の表示内容を概念的に示す平面図である。
【符号の説明】
【０１０１】
１  情報再生装置
２  ディスプレイ
３  ネットワーク
４  サーバ
１１  スピンドルモータ
１２  読取回路
１３  再生回路
１４  ＣＰＵ
１５  メモリ
１６  通信回路
５０  光ディスク
１００  データセット
１２０  再生制御情報
１２１  コマンド制御情報（第１コンテンツデータ）
１２２  タイミング制御情報（第１コンテンツデータ）
１２３  コマンド制御情報（第２コンテンツデータ）
１２４  タイミング制御情報（第２コンテンツデータ）
【図１】
2007133962.tif 000003
【図２】
2007133962.tif 000004
【図３】
2007133962.tif 000005
【図４】
2007133962.tif 000006
【図５】
2007133962.tif 000007